(57)【要約】  【課題】商品の収納時に足が当たり凝縮器が変形せず、保護ネットの脱着時に凝縮器のフィンに接触し怪我をしない自動販売機を提供するものである。  【解決手段】区画壁７と、フィルター８と、格子状に形成された通風口７ａと、下方の通風口７ｂと、嵌合する爪部８ａ、８ｂと後方に湾曲した湾曲部８ｃとを備え、商品収納時に足による変形を防止し、脱着時にも怪我をする恐れがなくなるとともに、圧縮機の振動による異音の発生もなくすことができる自動販売機を提供するものである。【選択図】図１
2006338575.tif 000002
【特許請求の範囲】
【請求項１】
自動販売機本体の下部に商品収納室を冷却する冷凍サイクルの機能部品を有する機械室を備え、前記機械室の前壁を形成する区画壁には前記機能部品に対応した位置に通風口を備え、前記通風口は格子状に形成され、下方に向かって密に形成されていることを特徴とする自動販売機。
【請求項２】
通風口の前面に樹脂製のフィルターを備えたことを特徴とする請求項１に記載の自動販売機。
【請求項３】
フィルターには通風口に嵌合する複数の取付爪部が形成され、前記取付爪部は格子状に区画された前記通風口に対応して形成されたことを特徴とする請求項２に記載の自動販売機。
【請求項４】
フィルターに形成された取付爪部は、フィルター面より後方に湾曲形成しており、前記フィルターは通風口に突っ張って固定されることを特徴とする請求項２または３に記載の自動販売機。
【発明の詳細な説明】
【技術分野】
【０００１】
本発明は、前面扉付きの断熱筐体の下部に機械室を備え、前記機械室に商品収納室を冷却する冷凍サイクルの機能部品を備えた自動販売機において、特に機能部品の保護手段に関するものである。
【背景技術】
【０００２】
従来、この種の自動販売機は機械室に収納された冷凍サイクルの機能部品、特に熱交換器の保護および埃による目詰まり防止のため、保護ネットを熱交換器の吸気側に配設したものがあった（特許文献１参照）。
【０００３】
図６は、前記文献に記載された従来の自動販売機の縦断面図を示すものである。図６において、自動販売機のキャビネット１と、商品収納時に開閉する扉２と、商品を収納する収納室３と、キャビネット１の下部に区画された機械室４、機械室４に配設された冷凍サイクルの機能部品５とからなり、冷凍サイクルの機能部品５は、凝縮器５ａ、送風ファン５ｂ、圧縮機５ｃを図示のように前後に配設され、凝縮器５ａの吸気側に保護ネット６を配設するよう構成されている。
【０００４】
以上のように構成された自動販売機について、以下その動作を説明する。
【０００５】
まず、商品収納室３は冷却サイクルにより冷却保存されている。
【０００６】
商品収納室３の冷却時に、送風ファン５ｂにより扉２の下部に設けられた吸気口より外気を取り入れ凝縮器５ａ、圧縮機５ｃを冷却する。吸気口から取り入れられた外気に含まれているゴミ、埃を保護ネット６により取り除き、凝縮器５ａに付着することによる冷却能力低下を防止する。
【特許文献１】特開平４−１９００７２号公報
【発明の開示】
【発明が解決しようとする課題】
【０００７】
しかしながら、前記従来の構成では、保護ネットが凝縮器に隣接して配置されているため、商品の収納時にキャビネットに足をかけた際、保護ネットに当り凝縮器が変形するという課題を有していた。また、保護ネットの脱着時に凝縮器のフィンに接触し怪我をする恐れがあるするという課題を有していた。
【０００８】
本発明は、上記従来の課題を解決するもので、商品収納時に足による変形を防止し、脱着時にも怪我をしない自動販売機を提供することを目的とする。
【課題を解決するための手段】
【０００９】
上記従来の課題を解決するために、機械室の前壁を形成する区画壁には機能部品に対応した位置に通風口を備え、通風口は格子状に形成され、下方に向かって密に形成されていることで、商品収納時に足による変形を防止し、脱着時にも怪我をする恐れがなくなる。
【発明の効果】
【００１０】
本発明の自動販売機は、商品収納時に足による変形を防止し、脱着時にも怪我をする恐れがなくなる。
【発明を実施するための最良の形態】
【００１１】
請求項１に記載の発明は、自動販売機本体の下部に商品収納室を冷却する冷凍サイクルの機能部品を有する機械室を備え、前記機械室の前壁を形成する区画壁には前記機能部品に対応した位置に通風口を備え、前記通風口は格子状に形成され、下方に向かって密に形成ことにより、商品収納時に足による変形を防止し、脱着時にも怪我をする恐れがなくなる。
【００１２】
請求項２に記載の発明は、請求項１に記載の発明の通風口の前面に樹脂製のフィルターを備えたことにより、ゴミ、埃を取り除き凝縮器に付着することによる冷却能力低下を防止し、フィルターの脱着時に怪我をする恐れがなくなる。また、区画壁の通風口を格子状に下方に向かって密に形成することにより、商品収納時に足によるフィルターが壊れることを防止できる。
【００１３】
請求項３に記載の発明は、請求項２に記載の発明のフィルターに通風口に嵌合する複数の取付爪部が形成され、前記取付爪部は格子状に区画された前記通風口に対応して形成されたことにより、区画壁の通風口と対応した位置にフィルターを取り付けることができる。
【００１４】
請求項４に記載の発明は、請求項２または３に記載の発明のフィルターの取付爪部はフィルター面より後方に湾曲形成しており、フィルターは通風口に突っ張って固定されることにより、圧縮機からの振動により異音の発生を防止できる。
【００１５】
（実施の形態１）
図１は、本発明の実施の形態１における自動販売機の縦断面図である。図２は、本発明の実施の形態１における自動販売機の平面断面図である。
【００１６】
図１、図２において、７は区画壁であり、機械室４の前壁を形成するようキャビネット１に取り付けられている。８はフィルターであり区画壁７に取り付けられている。９はシール部材であり区画壁７に凝縮器５ａの両端と対応した位置に取り付けられている。
【００１７】
図３は、本発明の実施の形態１における自動販売機の区画壁の正面図である。
【００１８】
図３において、区画壁７には、凝縮器５ａに対応し格子状に形成された通風口７ａを有し、下方の通風口７ｂは爪先が入らないよう密に形成されている。
【００１９】
図４は、本発明の実施の形態１における自動販売機のフィルターの正面図である。
【００２０】
図４において、フィルター８には、通風口７ａ、７ｂに嵌合する爪部８ａ、８ｂを有している。
【００２１】
図５は、本発明の実施の形態１における自動販売機のフィルターの取付詳細断面図である。
【００２２】
図５において、爪部８ａは後方に湾曲した湾曲部８ｃの状態であり、区画壁７へ取付時には通風口７ａに突っ張って固定される。
【００２３】
以上のように構成された自動販売機について、以下その動作、作用を説明する。
【００２４】
まず、商品収納室３は冷却サイクルにより冷却保存されている。
【００２５】
商品収納室３の冷却時に、送風ファン５ｂにより扉２の下部に設けられた吸気口、フィルター８、区画壁７の通風口７ａ、７ｂより外気を取り入れ凝縮器５ａ、圧縮機５ｃを冷却する。外気に含まれているゴミ、埃をフィルター８により取り除き、凝縮器５ａに付着することによる冷却能力低下を防止する。
【００２６】
以上のように、本実施の形態においては、自動販売機本体の下部に商品収納室を冷却する冷凍サイクルの機能部品５を有する機械室を備え、前記機械室の前壁を形成する区画壁には前記機能部品に対応した位置に通風口を備え、前記通風口は格子状に形成され、下方に向かって密に形成ことにより、商品収納時に足による変形を防止し、脱着時にも怪我をする恐れがなくなる。
【００２７】
また、本実施の形態では、通風口の前面に樹脂製のフィルターを備えたことにより、ゴミ、埃を取り除き凝縮器に付着することによる冷却能力低下を防止し、フィルターの脱着時に怪我をする恐れがなくなる。
【００２８】
また、本実施の形態では、区画壁の通風口を格子状に下方に向かって密に形成することにより、商品収納時に足によるフィルターが壊れることを防止できる。
【００２９】
また、本実施の形態では、フィルターに通風口に嵌合する複数の取付爪部が形成され、取付爪部は格子状に区画された前記通風口に対応して形成されたことにより、区画壁の通風口と対応した位置にフィルターを取り付けることができる。
【００３０】
また、本実施の形態では、フィルターの取付爪部はフィルター面より後方に湾曲形成しており、フィルターは通風口と突っ張って固定されることにより、圧縮機からの振動により異音の発生を防止できる。
【産業上の利用可能性】
【００３１】
以上のように、本発明にかかる自動販売機は、機械室の通風口を前面下部に備え、商品収納時に足による変形を防止し、脱着時にも怪我をする恐れがなくなるので、同様の機械室と通風路を備えた機器にも適用できる。
【図面の簡単な説明】
【００３２】
【図１】本発明の実施の形態１における自動販売機の縦断面図
【図２】本発明の実施の形態１における自動販売機の平面断面図
【図３】本発明の実施の形態１における自動販売機の区画壁の正面図
【図４】本発明の実施の形態１における自動販売機のフィルターの正面図
【図５】本発明の実施の形態１における自動販売機のフィルターの取付詳細断面図
【図６】従来の自動販売機の縦断面図
【符号の説明】
【００３３】
３    商品収納室
４    機械室
５    冷凍サイクルの機能部品
７    区画壁
７ａ、７ｂ  通風口
８    フィルター
８ａ、８ｂ  爪部
８ｃ  湾曲部
【図１】
2006338575.tif 000003
【図２】
2006338575.tif 000004
【図３】
2006338575.tif 000005
【図４】
2006338575.tif 000006
【図５】
2006338575.tif 000007
【図６】
2006338575.tif 000008